(57)【要約】【課題】コンテンツを表示させるための外部機器を接続した状態が維持されなくても、当該コンテンツの表示が妨げられないようにする。【解決手段】端末装置１０は、アクセサリ装置２０のイヤホンジャックが、イヤホンプラグに接続されたことを検知すると、アクセサリ装置２０から機器識別子ＭＩＤ及び使用フラグＦを取得する（Ｓ１，Ｓ２）。端末装置１０は、使用フラグＦに基づいてアクセサリ装置２０が未使用と判定し、且つ、自装置の認証に成功したと判定した場合には、機器識別子ＭＩＤで特定される表示コンテンツのコンテンツデータを、ＣＰサーバ３０から取得する（Ｓ３〜Ｓ７）。端末装置１０は、取得したコンテンツデータに基づいて表示コンテンツを表示し、アクセサリ装置２０がイヤホンジャックから取り外された後も、当該表示コンテンツを表示する（Ｓ８）。【選択図】図７
2015231109.tif 000002
【特許請求の範囲】
【請求項１】
画像を表示する表示部と、
自機に割り当てられた識別子を記憶した外部記憶媒体が着脱可能に接続される接続端子と、
前記外部記憶媒体が前記接続端子に接続された場合、入力された前記識別子によって特定される表示コンテンツのコンテンツデータを取得する取得部と、
前記取得部が取得した前記コンテンツデータに基づいて、前記表示部に表示コンテンツを表示させ、前記外部記憶媒体が前記接続端子から取り外された後も、前記表示コンテンツを表示させる表示制御部と
を備える端末装置。
【請求項２】
前記外部記憶媒体が接続された場合に、入力された前記識別子で特定される前記表示コンテンツを表示する権限を、自装置が有するかどうかを判定する判定部を備え、
前記表示制御部は、
前記判定部により前記権限を有すると判定された場合には、前記表示コンテンツを表示させる
ことを特徴とする請求項１に記載の端末装置。
【請求項３】
前記表示制御部は、
前記外部記憶媒体が取り外されてから、設定された時間が経過した後は、前記表示コンテンツを表示させない
ことを特徴とする請求項１又は請求項２に記載の端末装置。
【請求項４】
前記設定された時間が経過する前に、ユーザに対する報知処理を行う報知処理部
を備えることを特徴とする請求項３に記載の端末装置。
【請求項５】
ユーザから見た前記外部記憶媒体が取り外された方向を特定する特定部を備え、
前記表示制御部は
前記特定部が特定した前記方向に応じて、前記外部記憶媒体が取り外された後の前記表示コンテンツの表示を異ならせる
ことを特徴とする請求項１から請求項４のいずれか１項に記載の端末装置。
【請求項６】
前記表示制御部は、
前記外部記憶媒体が前記接続端子に接続されたタイミングに応じて、前記表示コンテンツを異ならせる
ことを特徴とする請求項１から請求項５のいずれか１項に記載の端末装置。
【請求項７】
前記表示制御部は、
前記外部記憶媒体が前記接続端子に接続された履歴に応じて、前記表示コンテンツを異ならせる
ことを特徴とする請求項１から請求項６のいずれか１項に記載の端末装置。
【請求項８】
前記外部記憶媒体として、第１の表示コンテンツを特定する前記識別子を記憶した第１の外部記憶媒体と、第２の表示コンテンツを特定する前記識別子を記憶した第２の外部記憶媒体とがあり、
前記表示制御部は、
前記第１の外部記憶媒体が前記接続端子に接続された後、前記第２の外部記憶媒体が前記接続端子に接続された場合、前記第１の外部記憶媒体及び前記第２の外部記憶媒体の属性に応じて、前記第１の表示コンテンツ及び前記第２の表示コンテンツを同時に表示させるか否かを制御する
ことを特徴とする請求項１から請求項７のいずれか１項に記載の端末装置。
【請求項９】
前記表示制御部は、
前記第１の表示コンテンツ及び前記第２の表示コンテンツを同時に表示させた場合、前記第２の外部記憶媒体が取り外されてから、設定された時間が経過したときに、前記第１の表示コンテンツ及び前記第２の表示コンテンツを表示させなくする
ことを特徴とする請求項８に記載の端末装置。
【請求項１０】
画像を表示する表示部と、
自機に割り当てられた識別子を記憶した外部記憶媒体が着脱可能に接続される接続端子と
を備える端末装置を制御するコンピュータに、
前記外部記憶媒体が前記接続端子に接続された場合、入力された前記識別子によって特定される表示コンテンツのコンテンツデータを取得するステップと、
取得した前記コンテンツデータに基づいて、前記表示部に表示コンテンツを表示させ、前記外部記憶媒体が前記接続端子から取り外された後も、前記表示コンテンツを表示させるステップと
を実行させるためのプログラム。
【発明の詳細な説明】
【技術分野】
【０００１】
本発明は、外部機器の接続を検知してコンテンツを表示する技術に関する。
【背景技術】
【０００２】
スマートフォンやタブレット端末等の端末装置の多くは、接続された外部機器との間でデータの入出力を行うための接続端子を備える。この接続端子の一例として、音声信号を入出力するためのイヤホンジャックがある。非特許文献１，２には、イヤホンジャックに外部機器が接続されたことを検知した場合に、所定のコンテンツを表示する技術が記載されている。非特許文献１には、アクセサリに設けられたイヤホンプラグが、携帯電話端末のイヤホンジャックに挿されたときにだけ、当該携帯電話端末上にキャラクタが表示されることが記載されている。非特許文献２には、専用デバイスのイヤホンプラグを、スマートフォンのイヤホンジャックに差し込むことにより、インターネット上にある動画や音楽コンテンツをダウンロードすること、また、当該専用デバイスを別のユーザのスマートフォンに差すことにより、コンテンツ提供者が指定した制限内でコンテンツを共有することが記載されている。
【０００３】
イヤホンジャックに接続される外部機器に関し、特許文献１には、アクセサリープラグにイヤホンジャックを設けることにより、スマートフォンにアクセサリープラグを接続したまま、当該スマートフォンとイヤホンとの電気的な接続を可能にすることが記載されている。また、特許文献２には、端末装置のイヤホンジャックに、音声出力不可の外部ユニットのプラグが挿入された場合には、端末内蔵のスピーカをオンにしておくことが記載されている。特許文献３には、ユーザの現在位置に応じた天候情報を表示することが記載されている。
【先行技術文献】
【特許文献】
【０００４】
【特許文献１】実用新案登録第３１７７６２９号公報
【特許文献２】特開２００３−０３２３３３号公報
【特許文献３】特開２０１０−２３０６３８号公報
【非特許文献】
【０００５】
【非特許文献１】docomo Disney Mobile on docomo F-03F、［online］、［平成２５年１２月１７日検索］、インターネット（URL: https://www.nttdocomo.co.jp/product/smart_phone/f03f/topics_01.html）
【非特許文献２】Plug Airとは、［online］、平成２５年１２月１７日検索］、インターネット（URL: https://www.plugair.com/ja/）
【発明の概要】
【発明が解決しようとする課題】
【０００６】
スマートフォンやタブレット端末等の端末装置は、イヤホンジャックを１つだけ備えていることが少なくない。この場合、非特許文献１に記載の技術では、ユーザがイヤホンを用いて音楽コンテンツを鑑賞する期間は、キャラクタを表示させることができない。非特許文献２には、専用デバイスの接続を条件に、ダウンロードしたコンテンツを表示することが記載されているが、専用デバイスが現に接続されているときにコンテンツを表示することしか記載されていない。
これに対し、本発明の目的は、コンテンツを表示させるための外部機器を接続した状態が維持されなくても、当該コンテンツの表示が妨げられないようにすることである。
【課題を解決するための手段】
【０００７】
上述した課題を解決するため、本発明の端末装置は、画像を表示する表示部と、自機に割り当てられた識別子を記憶した外部記憶媒体が着脱可能に接続される接続端子と、前記外部記憶媒体が前記接続端子に接続された場合、入力された前記識別子によって特定される表示コンテンツのコンテンツデータを取得する取得部と、前記取得部が取得した前記コンテンツデータに基づいて、前記表示部に表示コンテンツを表示させ、前記外部記憶媒体が前記接続端子から取り外された後も、前記表示コンテンツを表示させる表示制御部とを備える。
【０００８】
本発明の端末装置において、前記外部記憶媒体が接続された場合に、入力された前記識別子で特定される前記表示コンテンツを表示する権限を、自装置が有するかどうかを判定する判定部を備え、前記表示制御部は、前記判定部により前記権限を有すると判定された場合には、前記表示コンテンツを表示させてもよい。
この端末装置において、前記表示制御部は、前記外部記憶媒体が取り外されてから、設定された時間が経過した後は、前記表示コンテンツを表示させないようにしてもよい。
この端末装置において、前記設定された時間が経過する前に、ユーザに対する報知処理を行う報知処理部を備えてもよい。
【０００９】
本発明の端末装置において、ユーザから見た前記外部記憶媒体が取り外された方向を特定する特定部を備え、前記表示制御部は前記特定部が特定した前記方向に応じて、前記外部記憶媒体が取り外された後の前記表示コンテンツの表示を異ならせてもよい。
本発明の端末装置において、前記表示制御部は、前記外部記憶媒体が前記接続端子に接続されたタイミングに応じて、前記表示コンテンツを異ならせてもよい。
本発明の端末装置において、前記表示制御部は、前記外部記憶媒体が前記接続端子に接続された履歴に応じて、前記表示コンテンツを異ならせてもよい。
【００１０】
本発明の端末装置において、前記外部記憶媒体として、第１の表示コンテンツを特定する前記識別子を記憶した第１の外部記憶媒体と、第２の表示コンテンツを特定する前記識別子を記憶した第２の外部記憶媒体とがあり、前記表示制御部は、前記第１の外部記憶媒体が前記接続端子に接続された後、前記第２の外部記憶媒体が前記接続端子に接続された場合、前記第１の外部記憶媒体及び前記第２の外部記憶媒体の属性に応じて、前記第１の表示コンテンツ及び前記第２の表示コンテンツを同時に表示させるか否かを制御してもよい。
この端末装置において、前記表示制御部は、前記第１の表示コンテンツ及び前記第２の表示コンテンツを同時に表示させた場合、前記第２の外部記憶媒体が取り外されてから、設定された時間が経過したときに、前記第１の表示コンテンツ及び前記第２の表示コンテンツを表示させなくしてもよい。
【００１１】
本発明のプログラムは、画像を表示する表示部と、自機に割り当てられた識別子を記憶した外部記憶媒体が着脱可能に接続される接続端子とを備える端末装置を制御するコンピュータに、前記外部記憶媒体が前記接続端子に接続された場合、入力された前記識別子によって特定される表示コンテンツのコンテンツデータを取得するステップと、取得した前記コンテンツデータに基づいて、前記表示部に表示コンテンツを表示させ、前記外部記憶媒体が前記接続端子から取り外された後も、前記表示コンテンツを表示させるステップとを実行させるためのプログラムである。
【発明の効果】
【００１２】
本発明によれば、コンテンツを表示させるための外部機器を接続した状態が維持されなくても、当該コンテンツの表示が妨げられないようにすることができる。
【図面の簡単な説明】
【００１３】
【図１】本発明の第１実施形態に係る表示システムの全体構成を示す図。
【図２】同実施形態に係る端末装置のハードウェア構成を示すブロック図。
【図３】同実施形態に係るアクセサリ装置のハードウェア構成を示すブロック図。
【図４】同実施形態に係るＣＰサーバのハードウェア構成を示すブロック図。
【図５】同実施形態に係る表示コンテンツＤＢの構成を示す図。
【図６】同実施形態に係る表示システムの機能構成を示すブロック図。
【図７】同表示システムの基本動作の流れを示すシーケンス図。
【図８】同基本動作における端末装置及びアクセサリ装置の挙動の具体例の説明図。
【図９】同実施形態の有効期限に関する表示制御を示すフローチャート。
【図１０】同有効期限に関する表示制御の具体例の説明図。
【図１１】同有効期限に関する表示制御の具体例の説明図。
【図１２】同実施形態のアクセサリ装置の取り外しの方向に応じた表示制御を示すフローチャート。
【図１３】同アクセサリ装置の取り外しの方向に応じた表示制御の具体例の説明図。
【図１４】同実施形態におけるアクセサリ装置の接続履歴に応じた表示制御を示すシーケンス図。
【図１５】同アクセサリ装置の接続履歴に応じた表示制御の具体例の説明図。
【図１６】同アクセサリ装置の接続履歴に応じた表示制御の具体例の説明図。
【図１７】同実施形態におけるアクセサリ装置の接続タイミングに応じた表示制御を示すシーケンス図。
【図１８】同アクセサリ装置の接続タイミングに応じた表示制御の具体例の説明図。
【図１９】同実施形態における複数のアクセサリ装置が接続された場合の表示制御の流れを示すフローチャート。
【図２０】同複数のアクセサリ装置が接続された場合の表示制御の具体例の説明図。
【図２１】同複数のアクセサリ装置が接続された場合の表示制御の具体例の説明図。
【図２２】同実施形態の有効期限に関する表示制御の具体例の説明図。
【図２３】本発明の第２実施形態に係る表示システムの全体構成を示す図。
【図２４】同実施形態に係る管理サーバのハードウェア構成を示すブロック図。
【図２５】同実施形態に係る使用管理ＤＢの構成を示す図。
【図２６】同実施形態に係る基本動作の流れを示すシーケンス図。
【図２７】同表示システムの更新通知に関する制御を示すシーケンス図。
【図２８】本発明の変形例１に係るアクセサリ装置のハードウェア構成を示すブロック図。
【図２９】同変形例に係る表示システムの連動制御の具体例の説明図。
【図３０】同表示システムの連動制御を示すシーケンス図。
【図３１】本発明の変形例３に係るコンテンツの表示制御の具体例の説明図。
【発明を実施するための形態】
【００１４】
以下、図面を参照して本発明の一実施形態を説明する。
［第１実施形態］
図１は、本発明の第１実施形態に係る表示システム１の全体構成を示す図である。表示システム１は、複数の端末装置１０（１０−１，１０−２）と、複数のアクセサリ装置２０（２０ａ，２０ｂ，２０ｃ，２０ｄ，２０ｅ）と、複数のＣＰ（Contents Provider）サーバ３０（３０−１，３０−２）とを備える。端末装置１０及びＣＰサーバ３０の各々は、ネットワーク１００に接続する。ネットワーク１００は、例えば、移動体通信網、ゲートウェイ装置及びインターネットを含む公衆通信回線である。
なお、図１には、端末装置１０が２台、アクセサリ装置２０が５台、ＣＰサーバ３０が２台示されているが、各々何台存在していてもよい。また、図１に示す端末装置１０−１，１０−２は、互いに異なるユーザによって使用される。ＣＰサーバ３０−１，３０−２は、互い異なるコンテンツプロバイダ（コンテンツ提供者）によって使用される。
【００１５】
端末装置１０は、携帯型の無線通信端末で、ここではスマートフォン又はタブレット端末である。端末装置１０は、ＣＰサーバ３０に対するクライアント装置に相当し、ＣＰサーバ３０により提供された表示コンテンツを、正面の表示部１２１に表示する。この表示コンテンツは、端末装置１０のユーザに閲覧されることを目的して表示されるデジタルコンテンツである。端末装置１０は、全体として薄型の直方体状に形成され、上端面にイヤホンジャック１６が設けられている。
【００１６】
アクセサリ装置２０は、端末装置１０に対する外部記憶媒体で、自機に割り当てられた識別子である機器識別子を記憶する。アクセサリ装置２０は、イヤホンジャック１６に着脱可能に接続されるイヤホンプラグ２２を備える。アクセサリ装置２０は、イヤホンプラグ２２がイヤホンジャック１６に挿されて、イヤホンジャック１６に接続される。
アクセサリ装置２０は、イヤホンジャックアクセサリと呼ばれる機器と同等の寸法、且つ、重量で形成されている。アクセサリ装置２０は、例えば、端末装置１０のユーザが所定の店舗で購入することにより入手可能である。
【００１７】
ＣＰサーバ３０は、端末装置１０に対して表示コンテンツを提供するサーバ装置である。ＣＰサーバ３０は、アクセサリ装置２０が接続された端末装置１０に対し、当該アクセサリ装置２０の機器識別子によって特定される表示コンテンツを提供する。
【００１８】
図２は、端末装置１０のハードウェア構成を示すブロック図である。図２に示すように、端末装置１０は、制御部１１と、タッチスクリーン部１２と、通信部１３と、音声入出力部１４と、記憶部１５と、イヤホンジャック１６と、センサ部１７とを備える。
制御部１１は、演算処理装置としてのＣＰＵ（Central Processing Unit）１１ａ、ＲＯＭ(Read Only Memory)１１ｂ及びＲＡＭ（Random Access Memory）１１ｃを備えたマイクロコンピュータである。ＣＰＵは１１ａ、ＲＯＭ１１ｂに記憶されたプログラム又は記憶部１５に記憶されたプログラムをＲＡＭ１１ｃに読み出して実行し、端末装置１０の各部を制御する。
【００１９】
タッチスクリーン部１２は、表示部１２１とタッチセンサ１２２とを備える。表示部１２１は、例えば液晶ディスプレイで、表示コンテンツを含む各種の画像を表示する。タッチセンサ１２２は、表示部１２１の表示領域に重ねて面状に設けられたセンサで、表示領域に対して行われたユーザの操作を、所定の方式（例えば、抵抗膜方式又は静電容量方式）に従って検知する。
【００２０】
通信部１３は、無線通信回路及びアンテナを有し、ネットワーク１００に接続して無線通信を行う。通信部１３は、これ以外にも、Ｗｉ−Ｆｉ（登録商標）に準拠した無線ＬＡＮ（Local Area Network）通信や、その他の通信規格に準拠した無線通信を行ってもよい。
【００２１】
音声入出力部１４は、例えばマイクロホン及びスピーカを有し、端末装置１０において音声の入出力を行う。音声入出力部１４は、例えば、イヤホンジャック１６を介して入力された音声信号に基づいて、スピーカから音声を出力したり、マイクロホンを介して入力された音声を音声信号に変換したりする。制御部１１は、例えば、イヤホンジャック１６にアクセサリ装置２０が接続された場合は、スピーカを介した音声出力を行う。
【００２２】
記憶部１５は、例えばＥＥＰＲＯＭ（Electronically Erasable and Programmable ROM）又はフラッシュメモリを有し、各種のデータを記憶する記憶装置である。記憶部１５は、端末装置１０にインストールされ、端末装置１０のＯＳ（Operating System）上で実行される、ホームアプリケーション１５１及び表示アプリケーション１５２を記憶する。ホームアプリケーション１５１は、ホーム画面を表示する機能を実現させるアプリケーションプログラムである。ホーム画面は、例えば、端末装置１０の電源がオンして起動が完了した場合に、最初に表示される画面（例えば待受け画面）である。ホームアプリケーション１５１は、例えば、端末装置１０にプリインストールされている。表示アプリケーション１５２は、表示コンテンツの表示に関わる機能を実現させるアプリケーションプログラムである。
【００２３】
イヤホンジャック１６は、外部機器のイヤホンプラグが着脱可能に接続され、接続された外部機器との間でデータを入出力するための接続端子（コネクタ）である。イヤホンジャック１６は、例えば、右音声、左音声、マイク及び接地の４極で構成されている。
【００２４】
センサ部１７は、端末装置１０又はそのユーザの状態を検知するセンサを含んで構成される。センサ部１７は、例えば、加速度センサ（例えば３軸方式）、ジャイロセンサ（例えば３軸方式）、現在位置を測定する測位センサ（例えば、ＧＰＳ（Global Positioning System）センサ）、撮像センサ、高度センサ（気圧センサ）、温度センサ及び湿度センサの１つ以上を備えている。ただし、センサ部１７は、所定の物理量を検知するセンサであれば、ここで列挙したセンサ以外のセンサを備えてもよい。
端末装置１０は、上述した構成以外にも、例えば、電源としての電池（二次電池）、ユーザが行った操作を受け付けるための物理キー、及び、自装置のユーザ（端末装置１０の加入者）を識別するためＵＩＭ（User Identity Module）カードが装着されるスロット等の、汎用のスマートフォン又はタブレット端末と同等の構成を備える。
【００２５】
図３は、アクセサリ装置２０のハードウェア構成を示すブロック図である。図３に示すように、アクセサリ装置２０は、制御部２１と、イヤホンプラグ２２と、記憶部２３とを備える。
制御部２１は、端末装置１０の制御部１１と同等のハードウェア構成を有し、アクセサリ装置２０の各部を制御する。イヤホンプラグ２２は、外部機器のイヤホンジャックに着脱可能に接続され、接続された外部機器との間でデータを入出力するための接続端子（コネクタ）である。イヤホンプラグ２２は、例えば、右音声、左音声、マイク及び接地の４極、又は、右音声若しくは左音声を除いた３極で構成されている。
【００２６】
記憶部２３は、端末装置１０の記憶部１５と同等のハードウェア構成を有し、機器識別子ＭＩＤ、及び、使用フラグＦを記憶する。機器識別子ＭＩＤは、例えば、表示コンテンツを一意に識別する識別子、又は、アクセサリ装置２０を一意に識別する識別子（例えばシリアルナンバー）であるが、ここでは前者とする。使用フラグＦは、アクセサリ装置２０が使用済みかどうかを示すフラグである。アクセサリ装置２０が未使用の場合、使用フラグが「０」で、使用済みの場合、使用フラグが「１」である。ここでいう使用済みとは、アクセサリ装置２０を用いて表示コンテンツのコンテンツデータを取得済みであることをいう。
アクセサリ装置２０は、上述した構成以外にも、例えば、電源としての電池（例えば内蔵電池）を備え、当該電池からの電力供給を受けて動作する。
【００２７】
図４は、ＣＰサーバ３０のハードウェア構成を示すブロック図である。図４に示すように、ＣＰサーバ３０は、制御部３１と、通信部３２と、記憶部３３とを備える。
制御部３１は、端末装置１０の制御部１１と同等のハードウェア構成を有し、ＣＰサーバ３０の各部を制御する。通信部３２は、例えばモデムを有し、ネットワーク１００に接続するためのインタフェースである。記憶部３３は、例えばハードディスク装置を有し、表示コンテンツＤＢ３３１を含む。表示コンテンツＤＢ３３１は、ＣＰサーバ３０が提供する表示コンテンツに関するデータが格納されたデータベースである。
【００２８】
図５は、表示コンテンツＤＢ３３１の構成を示す図である。
図５に示すように、表示コンテンツＤＢ３３１では、機器識別子毎に、コンテンツデータと、有効期限と、コンテンツ種別と、グループＩＤとの各データが対応付けられている。機器識別子「ＭＩＤ−ａ」〜「ＭＩＤ−ｅ」の各々は、アクセサリ装置２０ａ〜２０ｅのうち、符号の末尾のアルファベットが同じ装置に割り当てられた機器識別子である。表示コンテンツデータ「Ｔａ」〜「Ｔｅ」の各々は、表示コンテンツを示すデータである。表示コンテンツＤＢ３３１では、一の機器識別子に対応付けて、複数の表示コンテンツのコンテンツデータが格納されることがある。有効期限は、ここでは、表示コンテンツを表示可能な残りの時間で特定されるが、年月日や時刻によって特定されてもよい。
【００２９】
コンテンツ種別は、アクセサリ装置２０の属性の一例で、ここでは「アイコン」又は「壁紙」に分類されるコンテンツの種別を表す。「アイコン」に分類される表示コンテンツは、比較的小さなサイズの画像で表され、例えば、表示装置の表示領域の一部を用いて表示される。「壁紙」に分類される表示コンテンツは、画面の背景として使用され、表示装置の表示領域の全体を用いて表示される。
なお、コンテンツ種別は、アイコン及び壁紙以外であってもよく、例えば、着せ替え用のコンテンツ等を含んでいてもよい。
【００３０】
グループＩＤは、アクセサリ装置２０の属性の一例で、ここではアクセサリ装置２０が属するグループを一意に識別する識別子である。例えば、表示コンテンツがアニメーションに登場するキャラクタを表す場合、同じアニメーションのキャラクタを表示させる複数のアクセサリ装置２０には、各々同じグループＩＤが割り当てられる。また、グループＩＤは、例えば、コンテンツプロバイダ毎（即ち、ＣＰサーバ３０毎）に異なる。
表示コンテンツＤＢ３３１に格納された各データは、コンテンツプロバイダによって設定される。
【００３１】
図６は、表示システム１の機能構成を示すブロック図である。
アクセサリ装置２０の制御部２１は、出力処理部２１１と、書換部２１２とに相当する機能を実現する。出力処理部２１１は、記憶部２３から機器識別子ＭＩＤ及び使用フラグＦを読み出し、イヤホンプラグ２２のマイク端子を介して出力する。書換部２１２は、イヤホンプラグ２２の右音声端子又は左音声端子を介して入力された書換指示に従って、記憶部２３の使用フラグＦを書き換える。
【００３２】
端末装置１０の制御部１１は、表示アプリケーション１５２を実行することにより、コンテンツ取得部１１１と、判定部１１２と、表示制御部１１３と、期限管理部１１４と、状態特定部１１５と、履歴管理部１１６とに相当する機能を実現する。
コンテンツ取得部１１１は、アクセサリ装置２０のイヤホンプラグ２２がイヤホンジャック１６に接続された場合、入力された機器識別子ＭＩＤによって特定される表示コンテンツのコンテンツデータを、通信部１３を介してＣＰサーバ３０から取得する。コンテンツ取得部１１１は、端末装置１０が表示コンテンツを表示する権限（以下「表示権限」という。）を有すると判定部１１２により判定された場合に、コンテンツデータを取得する。コンテンツ取得部１１１は、取得したコンテンツデータを、記憶部１５に記憶させる。
【００３３】
判定部１１２は、アクセサリ装置２０が接続された場合に、入力された機器識別子ＭＩＤによって特定される表示コンテンツの表示権限を、端末装置１０が有するかどうかを判定する。判定部１１２は、例えば、入力された使用フラグＦに基づいて、表示権限の有無を判定する。判定部１１２の認証部１１２Ａにおいて、ホームアプリケーション１５１に基づいて、端末装置１０の認証が行われる。
更に、判定部１１２は、イヤホンジャック１６の右音声端子又は左音声端子を介して、書換指示を出力する。
【００３４】
表示制御部１１３は、コンテンツ取得部１１１が取得したコンテンツデータに基づいて、表示部１２１に表示コンテンツを表示させる。表示制御部１１３は、記憶部１５に記憶されたコンテンツデータを読み出して、表示コンテンツを表示させる。表示制御部１１３は、イヤホンプラグ２２が抜かれて、アクセサリ装置２０がイヤホンジャック１６から取り外された後も、表示コンテンツを表示させる。表示制御部１１３は、実質的に、判定部１１２により表示権限を有すると判定された表示コンテンツを表示させ、表示権限を有しない表示コンテンツを表示させない。また、表示制御部１１３は、有効期限が経過した表示コンテンツを表示させない。
【００３５】
期限管理部１１４は、表示制御部１１３により表示された表示コンテンツについて、有効期限の管理を行う。期限管理部１１４は、例えば、表示コンテンツＤＢ３３１において設定された有効期限と、表示コンテンツの表示が開始されてからの経過時間とを比較して、有効期限が経過したかどうかを判定し、判定した結果を表示制御部１１３へ通知する。期限管理部１１４の報知処理部１１４Ａは、有効期限が経過する前に、表示部１２１を介してユーザに対する報知処理を行う。
【００３６】
状態特定部１１５は、センサ部１７を構成するセンサの検知結果に基づいて、端末装置１０又はそのユーザの状態を特定する。状態特定部１１５は、特定した端末装置１０又はそのユーザの状態を、表示制御部１１３へ通知する。
履歴管理部１１６は、アクセサリ装置２０がイヤホンジャック１６に接続された履歴である接続履歴を管理する。履歴管理部１１６は、機器識別子ＭＩＤで識別されるアクセサリ装置２０毎に、接続履歴を示す履歴データを記憶部１５に記憶させ、表示制御部１１３に接続履歴を通知する。
表示制御部１１３は、アクセサリ装置２０が接続されたタイミング（例えば、状態特定部１１５からの通知）や、履歴管理部１１６からの通知に応じて、表示部１２１に表示させる表示コンテンツを異ならせることがある。
【００３７】
次に、本実施形態の動作を説明する。
＜Ａ：基本動作＞
図７は、表示システム１の基本動作の流れを示すシーケンス図である。図７には、端末装置１０にアクセサリ装置２０が接続されてから、取り外されるまでの動作が示されている。図８は、表示システム１の基本動作における、端末装置１０及びアクセサリ装置２０ａの挙動の一例を説明する図である。以下の動作前において、端末装置１０の制御部１１は、表示アプリケーション１５２を実行している。
【００３８】
アクセサリ装置２０の制御部２１は、イヤホンプラグ２２がイヤホンジャック１６に挿され、端末装置１０に接続されたことを検知した場合（ステップＳ１）、記憶部２３に記憶された機器識別子ＭＩＤ及び使用フラグＦを、イヤホンプラグ２２を介して端末装置１０へ出力する（ステップＳ２）。ここでは、図８（ａ）に示すとおりに、アクセサリ装置２０ａが端末装置１０に接続される。
【００３９】
次に、端末装置１０の制御部１１は、イヤホンジャック１６を介して入力された使用フラグＦが「０」かどうかを判定する（ステップＳ３）。使用フラグＦが「１」と判定した場合（ステップＳ３；ＮＯ）、制御部１１は図７に示す動作を終了する。使用フラグＦが「１」の場合、アクセサリ装置２０は使用済みである。ステップＳ３の判定は、１台のアクセサリ装置２０を使用して、１台の端末装置１０に限って表示コンテンツが提供されるようにするために行われる。この際、制御部１１は、アクセサリ装置２０が使用済みある旨を、表示部１２１を用いてユーザに報知してもよい。
他方、使用フラグＦが「０」と判定した場合（ステップＳ３；ＹＥＳ）、制御部１１は、ステップＳ４の処理に進める。
【００４０】
次に、制御部１１は、ホームアプリケーション１５１に基づいて端末装置１０を認証し（ステップＳ４）、認証に成功したかどうかを判定する（ステップＳ５）。制御部１１は、例えば、端末装置１０にホームアプリケーション１５１がインストールされている場合には、認証に成功したと判定し、ホームアプリケーション１５１がインストールされていない場合には、認証に失敗したと判定する。ステップＳ４の認証は、例えば、特定の製造者（メーカ）によって製造された、又は、特定の通信事業者の通信サービスを利用する装置を対象として、表示コンテンツを提供するために行われる。
認証に失敗した場合（ステップＳ５；ＮＯ）、制御部１１は図７に示す動作を終了する。この際、制御部１１は、認証に失敗した旨を、表示部１２１を用いてユーザに報知してもよい。認証に成功した場合（ステップＳ５；ＹＥＳ）、制御部１１は、ステップＳ６の処理に進める。この場合、制御部１１は、端末装置１０が表示コンテンツの表示権限を有すると判定したことになる。
【００４１】
次に、制御部１１は、入力された機器識別子ＭＩＤを含むコンテンツデータの取得要求を、通信部１３を介して、ＣＰサーバ３０へ送信する（ステップＳ６）。表示アプリケーション１５２には、例えば、機器識別子ＭＩＤ毎に、ＣＰサーバ３０の所在を示す通信アドレスが記述されている。
ＣＰサーバ３０の制御部３１は、通信部３２を介して、コンテンツデータの取得要求を受け付けると、その取得要求に含まれる機器識別子ＭＩＤによって特定されるコンテンツデータを、表示コンテンツＤＢ３３１から取得し、端末装置１０へ送信する（ステップＳ７）。ここでは、アクセサリ装置２０ａが端末装置１０に接続されたので、ＣＰサーバ３０は、コンテンツデータ「Ｔａ」を端末装置１０へ送信する。
【００４２】
端末装置１０の制御部１１は、通信部１３を介して取得（受信）したコンテンツデータを記憶部１５に記憶させ、更に、当該コンテンツデータに基づいて、表示コンテンツを表示部１２１に表示させる（ステップＳ８）。表示コンテンツは、例えば、端末装置１０のホーム画面で表示されるが、ホーム画面以外の画面で表示されてもよい。アクセサリ装置２０ａが接続された端末装置１０は、図８（ｂ）に示すように、コンテンツデータ「Ｔａ」が示す表示コンテンツＩＭａを表示する。
なお、ステップＳ３又はＳ５で「ＮＯ」と判定していた場合には、端末装置１０は、図８（ｃ）に示すように、アクセサリ装置２０ａが装着されても表示コンテンツＩＭａを表示しない。
【００４３】
次に、制御部１１は、使用フラグＦの書換指示を、イヤホンジャック１６を介してアクセサリ装置２０へ出力する（ステップＳ９）。アクセサリ装置２０の制御部２１は、イヤホンプラグ２２を介して入力された書換指示に従って、記憶部２３の使用フラグＦを「０」から「１」へ書き換える（ステップＳ１０）。
この書き換えにより、例えば、アクセサリ装置２０が端末装置１０−１の後に、端末装置１０−２に装着された場合、端末装置１０−１で表示コンテンツが表示されても、端末装置１０−２で表示コンテンツが表示されないことになり、アクセサリ装置２０の複数回の使用が防止される。
【００４４】
その後、アクセサリ装置２０が、端末装置１０のイヤホンジャック１６から取り外されたことを検知したとする（ステップＳ１１）。この場合、端末装置１０の制御部１１は、アクセサリ装置２０がイヤホンジャック１６から取り外された後も、記憶部１５に記憶されたコンテンツデータに基づいて、表示コンテンツを表示させる（図７の破線矢印参照）。即ち、端末装置１０にアクセサリ装置２０が接続された状態が維持されなくても、表示コンテンツの表示が継続される。よって、ユーザが、イヤホンジャック１６に接続したイヤホンを用いて音楽コンテンツを楽しむ場合も、端末装置１０では表示コンテンツが継続して表示される。
【００４５】
端末装置１０は、アクセサリ装置２０がイヤホンジャック１６から取り外された場合、表示中の表示コンテンツに関して、有効期限に基づく表示制御を開始する。有効期限は、ステップＳ７でコンテンツデータが送信されるときに、ＣＰサーバ３０から端末装置１０に通知されてもよいし、アクセサリ装置２０が取り外されたときに、端末装置１０がＣＰサーバ３０へ問い合わせてもよい。
【００４６】
＜Ｂ：有効期限に関する表示制御＞
図９は、端末装置１０が行う有効期限に関する表示制御を示すフローチャートである。図１０及び図１１は、端末装置１０からアクセサリ装置２０ａが取り外されたときの有効期限に関する表示制御の具体例を説明する図である。アクセサリ装置２０ａに設定された有効期限は、図５に示すように「３０日」である。
まず、端末装置１０の制御部１１は、アクセサリ装置２０が取り外された日時を特定する（ステップＳ１２）。制御部１１は、例えば、通信部１３を介して、ネットワーク１００に接続された計時サーバ（図示略）に現在日時を問い合わせて、アクセサリ装置２０の取り外しの日時を特定する。次に、制御部１１は、表示中の表示コンテンツの有効期限を経過したかどうかを判定する（ステップＳ１３）。制御部１１は、ステップＳ１２で特定した取り外しの日時と現在日時とに基づいて、有効期限を経過したかどうかを判定する。
【００４７】
ステップＳ１２で「ＮＯ」と判定した場合、制御部１１は、取り外されたアクセサリ装置２０が再び接続されたかどうかを判定する（ステップＳ１４）。制御部１１は、例えば、過去に接続されたアクセサリ装置２０の機器識別子ＭＩＤを記憶部１５に記憶させておいて、ステップＳ１４の判定を行う。ステップＳ１４で「ＮＯ」と判定した場合、制御部１１は、表示中の表示コンテンツの有効期限までの残りの時間が、所定時間となったかどうかを判定する（ステップＳ１５）。この所定時間は、例えば端末装置１０の設計段階又はユーザにより設定されるが、例えば２４時間である。ステップＳ１５で「ＮＯ」と判定した場合、制御部１１は、ステップＳ１３の処理に戻す。
【００４８】
アクセサリ装置２０が取り外された状態で時間が経過し、ステップＳ１５で、有効期限までの残りの時間が所定時間となったと判定した場合（ステップＳ１５；ＹＥＳ）、制御部１１は、ユーザに対する報知処理を行う（ステップＳ１６）。制御部１１は、例えば、図１０（ａ）に示すように、有効期限までの残りの時間が所定時間となった旨のメッセージを含む画面Ｒ１を、表示部１２１に表示させる。この報知処理により、ユーザは、有効期限がいつであるかや、有効期限までの残りの時間を把握することができる。
【００４９】
ステップＳ１４において、有効期限が経過する前に、アクセサリ装置２０が再び接続されたと判定した場合（ステップＳ１４；ＹＥＳ）、制御部１１は、有効期限を延長する（ステップＳ１７）。ここで、図１１に示すように、アクセサリ装置２０ａの１回目の取り外しがあった後、有効期限である３０日を経過する前にアクセサリ装置２０ａが再び接続され、２回目の取り外しがあった場合を考える。この場合、制御部１１は、アクセサリ装置２０ａの２回目の取り外しがあったときから３０日後を、延長後の有効期限とする。以後、制御部１１は、ステップＳ１３では延長後の有効期限を用いる。
アクセサリ装置２０が再び接続された場合に、有効期限を延長する理由の一つとして、アクセサリ装置２０が再び接続されるときの様子が他者に観察されたことによる、アクセサリ装置２０の宣伝効果が期待できる、という理由がある。
なお、延長後の有効期限は、ここでは、表示コンテンツＤＢ３３１で設定された有効期限により設定されるが、これよりも短く設定されてもよいし、延長可能な回数が制限されてもよい。
【００５０】
ステップＳ１３において、有効期限が経過したと判定した場合（ステップＳ１３；ＹＥＳ）、制御部１１は、表示コンテンツの表示部１２１への表示を終了し、記憶部１５からコンテンツデータを削除する（ステップＳ１８）。この際、制御部１１は、図１０（ｂ）に示す画面Ｒ２を表示部１２１に表示させて、有効期限が経過して表示コンテンツの表示を終了する旨を、ユーザに報知してもよい。表示コンテンツの有効期限が設定されることにより、気に行った表示コンテンツを再び表示させたいユーザは、アクセサリ装置２０を再び購入することが考えられるので、アクセサリ装置２０の販売促進の効果を期待できる。
なお、ステップＳ１８において、制御部１１は、コンテンツデータを削除しないで、表示コンテンツの表示を禁止してもよい。
【００５１】
＜Ｃ：アクセサリ装置２０の取り外しの方法に応じた表示制御＞
＜Ｂ：有効期限に関する表示制御＞の項で説明した、アクセサリ装置２０が取り外された後の表示コンテンツの表示制御に関し、更に、アクセサリ装置２０の取り外しの方法に応じた表示制御が行われる。
図１２は、端末装置１０が行うアクセサリ装置２０の取り外しの方法に応じた表示制御を示すフローチャートである。図１３は、端末装置１０からアクセサリ装置２０ａが取り外されるときの表示制御の具体例を説明する図である。
端末装置１０の制御部１１は、イヤホンジャック１６からアクセサリ装置２０が取り外されたかどうかを判定する（ステップＳ２１）。ステップＳ２１で「ＹＥＳ」と判定すると、制御部１１は、ユーザから見たアクセサリ装置２０の取り外しの方向を特定する（ステップＳ２２）。この取り外しの方向は、ここでは、図１３（ａ）の右側に示すような、ユーザから見た奥側（ユーザから離れる方向）にアクセサリ装置２０を取り外す方向と、それ以外の方向、例えば、図１３（ｂ）に示すような、ユーザの手前側（ユーザに近づく方向）にアクセサリ装置２０を取り外す方向とに分けられる。
【００５２】
アクセサリ装置２０の取り外しの方向を特定するためのアルゴリズムの一例として、センサ部１７が備える加速度センサの検知結果を用いるアルゴリズムがある。例えば、端末装置１０がユーザの操作を受け付けているとき、又は、表示部１２１において画面表示をしているとき、ユーザは、表示部１２１の表示領域の天地方向における上を奥側、下を手前側とする可能性が高い。このとき、ユーザの目は図１３（ａ）に示す位置にあるから、アクセサリ装置２０が取り外された場合は、必然的に、ユーザから見た奥側に取り外されることになる。そこで、制御部１１は、図１３（ａ）に示す状態にあるときの端末装置１０の姿勢を基準姿勢として設定し、当該基準姿勢からの姿勢の変化を加速度センサで検知することにより、アクセサリ装置２０の取り外しの方向を特定する。
なお、アクセサリ装置２０の取り外しの方向を特定することは、実質的に、アクセサリ装置２０が取り外されたときの、ユーザから見たイヤホンジャック１６の位置を特定することに等しい。また、図１３（ａ）に示す状態になったときに、ユーザが所定の操作を行うことにより、端末装置１０に基準姿勢を設定させてもよい。
【００５３】
次に、制御部２１は、アクセサリ装置２０がユーザから見て奥側に取り外されたかどうかを判定する（ステップＳ２３）。ステップＳ２３で「ＹＥＳ」と判定した場合には、制御部１１は、図１３（ａ）に示すように、有効期限に関わらず、直ちに表示コンテンツの表示を終了し、記憶部１５からコンテンツデータを削除する（ステップＳ２４）。他方、ステップＳ２３で「ＮＯ」と判定した場合には、制御部１１は、図１３（ｂ）に示すように、＜Ｂ：有効期限に関する表示制御＞の項で説明した表示制御を行う（ステップＳ２５）。
ユーザは、アクセサリ装置２０を取り外した後も、表示コンテンツの表示を継続させたいか否かによって、アクセサリ装置２０の取り外しの方向を選択するとよい。
【００５４】
なお、アクセサリ装置２０の取り外しの方向を特定するアルゴリズムは、別のアルゴリズムであってもよい。制御部１１は、例えば、加速度センサ及びジャイロセンサを組み合わせて、端末装置１０の姿勢を特定してもよい。
また、制御部１１は、撮像センサによりユーザ（例えばユーザの顔）を撮像して、撮像画像を認識し、ユーザの位置を特定する。そして、制御部１１は、特定したユーザの位置と、端末装置１０におけるイヤホンジャック１６の位置とに基づいて、アクセサリ装置２０の取り外しの方向を特定してもよい。制御部１１は、センサ部１７が備えるセンサに応じたアルゴリズムに従って、アクセサリ装置２０の取り外しの方向を特定すればよい。
また、アクセサリ装置２０の取り外しの方向と、アクセサリ装置２０が取り外された後の表示コンテンツの表示制御との関係は、別の関係でもあってもよい。
【００５５】
＜Ｄ：アクセサリ装置２０の接続履歴に応じた表示制御＞
端末装置１０は、アクセサリ装置２０の接続履歴に応じた表示コンテンツの表示制御を行う。端末装置１０の制御部１１は、アクセサリ装置２０の機器識別子ＭＩＤ毎に、接続履歴を示す履歴データを記憶部１５に記憶させる動作を、継続的に行う。履歴データは、例えば、アクセサリ装置２０が端末装置１０のイヤホンジャック１６に接続された日時、及び、取り外された日時を含む。
【００５６】
図１４は、端末装置１０が行うアクセサリ装置２０の接続履歴に応じた表示制御を示すシーケンス図である。図１５及び図１６は、アクセサリ装置２０の接続履歴に応じた表示制御の具体例を説明する図である。
アクセサリ装置２０の制御部２１は、端末装置１０のイヤホンジャック１６に接続されたことを検知した場合（ステップＳ３１）、記憶部２３に記憶された機器識別子ＭＩＤを、イヤホンプラグ２２を介して端末装置１０へ出力する（ステップＳ３２）。次に、端末装置１０の制御部１１は、記憶部１５に記憶された履歴データに基づいて接続履歴を特定し（ステップＳ３３）、入力された機器識別子ＭＩＤ及び履歴データを含むコンテンツデータの取得要求を、通信部１３を介してＣＰサーバ３０へ送信する（ステップＳ３４）。
【００５７】
ＣＰサーバ３０の制御部３１は、通信部３２を介してコンテンツデータの取得要求を受け付けると、機器識別子ＭＩＤ及び履歴データによって特定されるコンテンツデータをコンテンツデータから取得し、端末装置１０へ送信する（ステップＳ３５）。制御部３１は、機器識別子ＭＩＤで特定される複数の表示コンテンツのうち、接続履歴に応じた一の表示コンテンツを選択し、端末装置１０へ送信する。端末装置１０の制御部１１は、通信部１３を介して取得したコンテンツデータを記憶部１５に記憶させ、更に、表示コンテンツを表示部１２１に表示させる（ステップＳ３６）。
【００５８】
制御部１１は、接続履歴として、例えば、接続時間（例えば連続時間又は合計時間）、接続回数、接続頻度（例えば単位時間当たりの接続時間又は接続回数）、及び、接続間隔の１つ以上に応じて表示コンテンツを異ならせる。
図１５は、接続時間に応じて変化する表示コンテンツの一例が示されている。アクセサリ装置２０ｃが端末装置１０に接続された場合、制御部１１は、接続時間が短いうちは、図１５（ａ）に示すような、小さな樹木を意味する表示コンテンツＩＭｃ１を表示部１２１に表示させる。アクセサリ装置２０ｃの接続時間が長くなると、制御部１１は、図１５（ｂ）に示すような、大きな樹木（成長した樹木）を意味する表示コンテンツＩＭｃ２を表示部１２１に表示させる。この場合、ユーザは、接続時間が長くなるほど、樹木が成長していくような感覚を得ることができる。
【００５９】
図１６は、接続回数に応じて変化する表示コンテンツの一例が示されている。アクセサリ装置２０ａが端末装置１０に接続された場合、制御部１１は、図１６（ａ）に示すように、接続回数に応じて表示コンテンツの表示形態（ここでは、キャラクタの表情）を変化させる。制御部１１は、１回目の接続時には表示コンテンツＩＭａを表示させ、２回目の接続時には表示コンテンツＩＭａ１を表示させ、３回目の接続時には表示コンテンツＩＭａ２を表示させる。また、制御部１１は、図１６（ｂ）に示すように、接続回数に応じてキャラクタを加算的に表示させてもよい。制御部１１は、１回目の接続時には表示コンテンツＩＭａを表示させ、２回目の接続時には表示コンテンツＩＭａ３を追加して表示させ、３回目の接続時には表示コンテンツＩＭａ４を追加して表示させる。
接続履歴と表示コンテンツの変化との関係は、図１５及び図１６に示す例に限られない。表示コンテンツの変化は、例えば、表示要素の付加、色（色調）や明るさ、回転角度の変化等であってもよい。
【００６０】
なお、制御部１１は、接続履歴に応じて変化する複数の表示コンテンツのコンテンツデータを、ステップＳ７で予め取得して記憶部１５に記憶させ、接続履歴に応じたコンテンツデータを記憶部１５から選択的に読み出して、表示コンテンツを表示させてもよい。
【００６１】
＜Ｅ：アクセサリ装置２０の接続タイミングに応じた表示制御＞
端末装置１０においては、アクセサリ装置２０の接続タイミングに応じた表示コンテンツの表示制御を行ってもよい。
図１７は、端末装置１０が行うアクセサリ装置２０の接続タイミングに応じた表示制御を示すシーケンス図である。図１８は、アクセサリ装置２０ａの接続タイミングに応じた表示制御の具体例を説明する図である。
アクセサリ装置２０の制御部２１は、端末装置１０のイヤホンジャック１６に接続されたことを検知した場合（ステップＳ４１）、記憶部２３に記憶された機器識別子ＭＩＤを、イヤホンプラグ２２を介して端末装置１０へ出力する（ステップＳ４２）。次に、端末装置１０の制御部１１は、入力された機器識別子ＭＩＤを含むコンテンツデータの取得要求を、通信部１３を介してＣＰサーバ３０へ送信する（ステップＳ４３）。この取得要求には、アクセサリ装置２０の接続タイミングを特定するデータが含まれていてもよく、例えば、センサ部１７のセンサの検知結果を示すデータが含まれていてもよい。
【００６２】
ＣＰサーバ３０の制御部３１は、通信部３２を介して取得要求を受け付けると、受け付けた取得要求に含まれる機器識別子ＭＩＤ、及び、接続タイミングによって特定されるコンテンツデータをコンテンツデータから取得し、端末装置１０へ送信する（ステップＳ４４）。制御部３１は、機器識別子ＭＩＤで特定される複数の表示コンテンツのうち、接続タイミングに応じた一の表示コンテンツを選択して、端末装置１０へ送信する。端末装置１０の制御部１１は、通信部１３を介して取得したコンテンツデータを記憶部１５に記憶させ、更に、表示コンテンツを表示部１２１に表示させる（ステップＳ４５）。
【００６３】
制御部１１は、接続タイミングとして、例えば、接続時の端末装置１０の位置、接続時に端末装置１０が存在する場所の高度、端末装置１０の周辺環境、及び、接続日時（ここでは、接続の日にち又は／及び時刻）の１つ以上に応じて表示コンテンツを異ならせる。
【００６４】
端末装置１０は、例えば、センサ部１７の測位センサにより検知された位置に応じて、図１８（ａ）に示すような、端末装置１０が存在する地域特有の表示コンテンツＩＭａ５（ここでは、都市名と都市を象徴する表示要素を含む。）を表示する。また、端末装置１０は、センサ部１７の高度センサにより検知された高度に応じて、図１８（ｂ）に示すような、端末装置１０が存在する場所の高度特有の表示コンテンツＩＭａ６（ここでは、高度を象徴する表示要素として雲を含む。）を表示してもよい。また、端末装置１０は、周辺環境に応じて、図１８（ｃ）に示すような、周辺環境特有の表示コンテンツＩＭａ７（ここでは、雨天であることを象徴する表示要素として傘を含む。）を表示してもよい。周辺環境については、センサ部１７の温度センサや湿度センサの検知結果や、ネットワーク１００を介して取得された天気情報により特定される。また、端末装置１０は、接続日時に応じて、図１８（ｄ）に示すような、接続日時特有の表示コンテンツＩＭａ８（ここでは、夜間を象徴する表示要素として月及び星を含む。）を表示してもよい。
【００６５】
アクセサリ装置２０の接続タイミングを特定するデータとして、例えば、端末装置１０が接続する通信回線の種類（例えば、無線ベアラ）や、通信回線の状態（例えばトラヒックの状況）等の、時間的に変化する事象を表す他のデータが使用されてもよい。
なお、＜Ｄ：アクセサリ装置２０の接続履歴に応じた表示制御＞の項で説明したのと同様に、接続タイミングと表示コンテンツの変化との関係は、図１８に示す例に限られない。また、制御部１１は、接続タイミングに応じて変化する複数の表示コンテンツのコンテンツデータを、ステップＳ７で取得して記憶部１５に記憶させ、接続タイミングに応じたコンテンツデータを記憶部１５から選択的に読み出して、表示コンテンツを表示させてもよい。
【００６６】
＜Ｆ：複数のアクセサリ装置２０が接続される場合の表示制御＞
次に、端末装置１０に複数のアクセサリ装置２０が接続される場合の表示制御を説明する。ここでは、互いに同じグループに属する２以上のアクセサリ装置２０については、各アクセサリ装置２０に対応する表示コンテンツを同時に表示することが許可される。他方、互いに異なるグループに分類された２以上のアクセサリ装置２０については、各アクセサリ装置２０に対応する表示コンテンツを、同時に表示することが禁止される。
ここにおいて、制御部１１は、ステップＳ７において、表示コンテンツのコンテンツデータとともに、その表示コンテンツのコンテンツ種別及びグループＩＤの情報を取得する。
【００６７】
図１９は、端末装置１０が行う複数のアクセサリ装置２０が接続される場合の表示制御の流れを示すフローチャートである。図２１及び図２２は、複数のアクセサリ装置２０が接続される場合の表示制御の具体例を説明する図である。
まず、端末装置１０の制御部１１は、イヤホンジャック１６にアクセサリ装置２０が接続されたかどうかを判定する（ステップＳ５１）。ステップＳ５１で「ＹＥＳ」と判定した場合、制御部２１は、直前に接続されたアクセサリ装置２０と同じグループのアクセサリ装置２０が接続されたかどうかを判定する（ステップＳ５２）。ここで、図２０に示すように、アクセサリ装置２０ａが直前に接続され、その後に、アクセサリ装置２０ｂが接続された場合を考える。この場合、アクセサリ装置２０ａ，２０ｂはともに、グループＩＤ「Ｇ００１」のグループに属するから、制御部１１はステップＳ５２で「ＹＥＳ」と判定する。
【００６８】
次に、制御部１１は、コンテンツ種別が「アイコン」かどうかを判定する（ステップＳ５３）。ここでアクセサリ装置２０ｂのコンテンツ種別は「アイコン」であるから、制御部１１は、ステップＳ５３で「ＹＥＳ」と判定する。この場合、制御部１１は、アイコンである表示コンテンツの追加表示を行う（ステップＳ５４）。ここでは、制御部１１は、図２０の中央に示すように、表示コンテンツＩＭａを表示部１２１に表示させたまま、アクセサリ装置２０ｂの機器識別子ＭＩＤで特定される表示コンテンツＩＭｂを同時に表示させる。
【００６９】
ステップＳ５２で「ＮＯ」と判定した場合、即ち、直前に接続されたアクセサリ装置２０と異なるグループのアクセサリ装置２０が接続された場合、制御部１１は、新たな表示コンテンツに置き換えて、表示部１２１に表示させる（ステップＳ５５）。ここで、表示コンテンツＩＭａ，ＩＭｂを同時に表示しているときに、グループＩＤが「Ｇ００２」のアクセサリ装置２０ｄが接続された場合を考える。この場合、制御部１１は、図２０の右側に示すように、表示コンテンツＩＭａ，ＩＭｂの表示を終了してコンテンツデータを削除し、アクセサリ装置２０ｄの機器識別子ＭＩＤで特定される表示コンテンツＩＭｄに置き換えて表示させる。
【００７０】
ステップＳ５３で「ＮＯ」と判定した場合、即ち、コンテンツ種別が「壁紙」の場合も、制御部１１は、ステップＳ５５に進み、新たな表示コンテンツに置き換えて、表示部１２１に表示させる。図２１に示すように、表示コンテンツＩＭａ，ＩＭｂが同時に表示されているときに、アクセサリ装置２０ｅが接続された場合を考える。この場合、制御部１１は、表示コンテンツＩＭａ，ＩＭｂの表示を終了してコンテンツデータを削除し、アクセサリ装置２０ｅの機器識別子ＭＩＤで特定される、壁紙である表示コンテンツＩＭｅを、表示部１２１の表示領域全体に表示させる。
【００７１】
図１９に示す処理によると、端末装置１０は、壁紙である表示コンテンツに重畳して、アイコンである表示コンテンツを表示することも可能である。図２１（ｂ）に示すように、表示コンテンツＩＭｅを表示しているときに、アクセサリ装置２０ａが接続された場合、制御部１１は、表示コンテンツＩＭｅを表示部１２１に表示させたまま、表示コンテンツＩＭａを同時に表示させる。
なお、ステップＳ５５で有効期限内に削除された表示コンテンツについては、有効期限内にアクセサリ装置２０が再び接続されることで、再び表示されてもよい。
【００７２】
複数のアクセサリ装置２０が接続された場合の有効期限の管理は、表示コンテンツ毎に独立して行われてもよいが、同一グループに属するアクセサリ装置２０については、同一のアクセサリ装置２０が接続された場合と同じ方法で行われてもよい。後者の期限管理を、図２２を用いて説明する。
図２２に示すように、アクセサリ装置２０ａの取り外しがあった後、３０日を経過する前にアクセサリ装置２０ｂが装着され、取り外しがあった場合を考える。この場合、制御部１１は、アクセサリ装置２０ｂの取り外しがあった日時から２５日後を、アクセサリ装置２０ａ，２０ｂの延長後の有効期限とする。このため、延長後の有効期限が到来した場合には、制御部１１は、アクセサリ装置２０ａ，２０ｂに対応する表示コンテンツの表示を、同時に終了する。アクセサリ装置２０ａ，２０ｂの両方の表示コンテンツの有効期限を延長する理由の一つとして、同じグループに属する複数のアクセサリ装置２０を購入したユーザに対して、購入特典として期限延長させる、という理由がある。
【００７３】
なお、複数のアクセサリ装置２０が接続された場合の表示コンテンツ表示は、表示コンテンツを加算的に表示することに限られない。端末装置１０は、例えば、一の表示コンテンツの表示形態を、アクセサリ装置２０が接続された数又は／及び種類に応じて変化させてもよい。また、端末装置１０は、特定の条件を満たす数又は／及び種類のアクセサリ装置２０が接続された場合に、特典としての別の表示コンテンツを追加して表示してもよい。
【００７４】
［第２実施形態］
上述した第１実施形態で、端末装置１０が実現していた機能の一部を、表示システム１においてデータ管理を行うサーバ装置で実現させてもよい。以下の説明において、第１実施形態と同じ要素については同じ符号を付して表し、その説明を省略し又は簡略化する。
図２３は、本実施形態の表示システム１Ａの全体構成を示す図である。図２３に示すように、表示システム１Ａは、端末装置１０（１０−１，１０−２）と、アクセサリ装置２０（２０ａ，２０ｂ，２０ｃ，２０ｄ，２０ｅ）と、ＣＰサーバ３０（３０−１，３０−２）とに加え、管理サーバ４０を備える。管理サーバ４０は、ネットワーク１００に接続する。管理サーバ４０は、例えば、通信事業者等の表示システム１に関するサービスを管理する管理者によって使用される。
端末装置１０、アクセサリ装置２０及びＣＰサーバ３０の各装置のハードウェア構成は、上述した第１実施形態と同じである。ただし、アクセサリ装置２０の機器識別子ＭＩＤは、本実施形態では、アクセサリ装置２０を一意に識別する識別子（例えばシリアルナンバー）である。また、アクセサリ装置２０は、使用フラグＦの管理に係る構成を有しなくてよい。
【００７５】
図２４は、管理サーバ４０のハードウェア構成を示すブロック図である。図２４に示すように、管理サーバ４０は、制御部４１と、通信部４２と、記憶部４３とを備える。
制御部４１は、端末装置１０の制御部１１と同等のハードウェア構成を有し、管理サーバ４０の各部を制御する。通信部４２は、例えばモデムを有し、ネットワーク１００に接続するためのインタフェースである。記憶部４３は、例えばハードディスク装置を有し、使用管理ＤＢ４３１を含んで構成される。使用管理ＤＢ４３１は、アクセサリ装置２０の使用の状況を管理するデータベースである。
【００７６】
図２５は、使用管理ＤＢ４３１の構成を示す図である。
図２５に示すように、使用管理ＤＢ４３１では、端末装置１０のユーザ毎に、ユーザを一意に識別するユーザ識別子と、当該ユーザが使用したアクセサリ装置２０の機器識別子とが対応付けられている。ユーザ識別子は、例えば、端末装置１０に装着されたＵＩＭカードに記憶された識別子、又は、表示システム１専用の識別子が使用される。
上述した第１実施形態では、アクセサリ装置２０の各々が自装置で使用の状況を管理していたが、本実施形態では、管理サーバ４０が一括して複数のアクセサリ装置２０の使用の状況を管理する。
次に、本実施形態の動作を説明する。
【００７７】
図２６は、表示システム１Ａの基本動作の流れを示すシーケンス図である。図２６には、端末装置１０に対してアクセサリ装置２０が装着されてから表示コンテンツが表示されるまで動作が示されている。以下の動作前において、端末装置１０の制御部１１は、表示アプリケーション１５２を予め実行しているものとする。
【００７８】
アクセサリ装置２０の制御部２１は、イヤホンジャック１６に接続されたことを検知した場合（ステップＳ６１）、記憶部２３に記憶された機器識別子ＭＩＤを、イヤホンプラグ２２を介して端末装置１０へ出力する（ステップＳ６２）。次に、端末装置１０の制御部１１は、上述した第１実施形態のステップＳ４と同じ認証を行う（ステップＳ６３）。認証に成功した場合、制御部１１は、入力された機器識別子ＭＩＤ、及び、自装置のユーザを識別するユーザ識別子を、通信部１３を介して管理サーバ４０へ送信する（ステップＳ６４）。
【００７９】
次に、管理サーバ４０の制御部４１は、通信部４２を介して取得（受信）した機器識別子ＭＩＤと、使用管理ＤＢ４３１に登録された機器識別子とを照合する（ステップＳ６５）。制御部４１は、取得した機器識別子ＭＩＤが、いずれかのユーザ識別子と対応付けて使用管理ＤＢ４３１に格納されているかどうかを判定する。そして、制御部４１は、照合の結果に基づいて、機器識別子ＭＩＤで特定される表示コンテンツの表示権限が端末装置１０にあるかどうかを判定する（ステップＳ６６）。制御部１１は、機器識別子ＭＩＤが使用管理ＤＢ４３１に格納されている場合には、表示権限がないと判定し（ステップＳ６６；ＮＯ）、表示権限がない旨のエラー通知を、通信部１３を介して端末装置１０へ送信する（ステップＳ６７）。このエラー通知には、他のユーザによってアクセサリ装置２０が使用済みである旨の通知が含まれてもよい。
【００８０】
他方、制御部１１は、機器識別子ＭＩＤが使用管理ＤＢ４３１に格納されていない場合には、表示権限があると判定し（ステップＳ６６；ＹＥＳ）、表示権限がある旨とともに、機器識別子ＭＩＤ及びユーザ識別子を、通信部１３を介してＣＰサーバ３０へ送信する（ステップＳ６８）。次に、ＣＰサーバ３０の制御部３１は、通信部３２を介して取得した機器識別子ＭＩＤで特定される表示コンテンツのコンテンツデータを、表示コンテンツＤＢ３３１から取得し、取得したユーザ識別子が示すユーザの端末装置１０へ送信する（ステップＳ６９）。端末装置１０の制御部１１は、通信部１３を介して取得したコンテンツデータに基づいて、表示コンテンツを表示部１２１に表示させる（ステップＳ７０）。
【００８１】
ＣＰサーバ３０の制御部３１は、コンテンツデータの送信に成功した場合は、成功通知を、通信部３２を介して管理サーバ４０へ送信する（ステップＳ７１）。管理サーバ４０の制御部４１は、通信部４２を介して成功通知を取得すると、表示コンテンツの提供に使用したユーザ識別子と機器識別子ＭＩＤとを対応付けて、使用管理ＤＢ４３１に格納し、これを更新する（ステップＳ７２）。
【００８２】
表示システム１Ａでは、上述した第１実施形態で説明した他の制御についても、端末装置１０と管理サーバ４０との協働によって実現される。即ち、第１実施形態で説明した端末装置１０の制御部１１が実現する各機能は、管理サーバ４０の制御部４１において実現されてもよい。
本実施形態の特徴的な動作の一例を説明すると、ＣＰサーバ３０が管理サーバ４０に使用管理ＤＢ４３１の情報を問い合わせることにより、表示コンテンツの更新があった場合には、その旨をプッシュ型の通信により端末装置１０へ通知することも可能である。
【００８３】
図２７は、表示システム１Ａの更新通知に関する処理の流れを示すシーケンス図である。
ＣＰサーバ３０の制御部３１は、表示コンテンツＤＢ３３１に格納される表示コンテンツの更新があると判定した場合（ステップＳ７３）、更新前の表示コンテンツを提供していた端末装置１０を、通信部３２を介して管理サーバ４０へ問い合わせる（ステップＳ７４）。この問い合わせには、更新が発生した表示コンテンツを特定する機器識別子が含まれる。管理サーバ４０の制御部４１は、通信部４２を介して受け付けた問い合わせに含まれる機器識別子に対応付けられたユーザＩＤを、使用管理ＤＢ４３１から検索して、ＣＰサーバ３０へ送信（応答）する（ステップＳ７５）。
【００８４】
ＣＰサーバ３０の制御部３１は、管理サーバ４０から取得（受信）したユーザＩＤに基づいて、通信部３２を介して、端末装置１０へ更新通知を送信する（ステップＳ７６）。端末装置１０の制御部１１は、通信部１３を介して更新通知を受け付けた場合、その旨を表示部１２１に表示させる等して、ユーザへ報知する。この報知を認識したユーザは、更新が生じた表示コンテンツに対応するアクセサリ装置２０を、端末装置１０に接続させる（ステップＳ７７）。アクセサリ装置２０の制御部２１は、イヤホンジャック１６に接続されたことを検知すると、記憶部２３に記憶された機器識別子ＭＩＤを、イヤホンプラグ２２を介して端末装置１０へ出力する（ステップＳ７８）。そして、制御部１１は、入力された機器識別子ＭＩＤ、及び、自装置のユーザを識別するユーザ識別子を、通信部１３を介してＣＰサーバ３０へ送信する（ステップＳ７９）。ＣＰサーバ３０の制御部３１は、機器識別子ＭＩＤ及びユーザを識別するユーザ識別子の組み合わせが、ステップＳ７５で管理サーバ４０から応答されてきた組み合わせと一致した場合、更新後の表示コンテンツのコンテンツデータを表示コンテンツＤＢ３３１から取得し、通信部３２を介して、ユーザ識別子が示すユーザの端末装置１０へ送信する（ステップＳ８０）。端末装置１０の制御部１１は、通信部１３を介して取得したコンテンツデータに基づいて、表示コンテンツを表示部１２１に表示させる（ステップＳ８１）
なお、ここでは、ＣＰサーバ３０がプッシュ型の通信により更新通知を送信していたが、端末装置１０が所定間隔で繰り返し行う擬似プッシュ、又は、プル型の通信を行い、ＣＰサーバ３０がこれに応答して更新通知を送信してもよい。
【００８５】
以上説明した第２実施形態の表示システム１Ａにおいても、表示コンテンツの表示に関して、上述した第１実施形態と同等の効果を奏する。更に、管理サーバ４０が実現する機能によって、端末装置１０が行うべき処理が減る。また、管理サーバ４０におけるユーザ識別子を用いたデータ管理により、例えば、端末装置１０の機種変更が行われた場合であっても、表示コンテンツの引き継ぎが容易になり、ユーザにとっての利便性が向上する効果が期待できる。
【００８６】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
この変形例の表示システムにおいて、端末装置１０は、アニメーション等の表示形態が変化する表示コンテンツを表示する場合に、アクセサリ装置２０の外観をこの表示形態の変化に連動して変化させる連動制御を行う。
図２８は、本変形例のアクセサリ装置２０のハードウェア構成を示すブロック図である。図２８に示すように、アクセサリ装置２０は、制御部２１と、イヤホンプラグ２２と、記憶部２３とに加えて、発光部２４とを備える。発光部２４は、例えばＬＥＤ（Light Emitting Diode）等の発光体を含み、制御部２１の制御に従って発光又は消灯する。端末装置１０のユーザは、発光部２４が発した光を知覚可能である。
【００８７】
図２９は、表示コンテンツの変化とアクセサリ装置２０の外観の変化との関係の一例を説明する図である。図２９に示すように、表示コンテンツＩＭａが相対的に輝度が高い「状態Ａ」と、相対的に輝度が低い「状態Ｂ」とに交互に遷移して表示される場合を考える。この場合、アクセサリ装置２０は、表示コンテンツＩＭａが「状態Ａ」の期間に発光し、「状態Ｂ」の期間に発光しない。
【００８８】
図３０は、この変形例の表示システムの連動制御に関する処理の流れを示すシーケンス図である。
端末装置１０の制御部１１は、表示コンテンツＩＭａを「状態Ａ」で表示した場合（ステップＳ９１）、発光部２４を発光させる制御データを、イヤホンジャック１６を介して、アクセサリ装置２０へ出力する（ステップＳ９２）。アクセサリ装置２０の制御部２１は、イヤホンプラグ２２を介して制御データが入力されると、入力された制御データに従って、発光部２４に発光させる（ステップＳ９３）。続いて、端末装置１０の制御部１１は、表示コンテンツＩＭａを「状態Ｂ」で表示した場合（ステップＳ９４）、発光部２４の発光を停止させる制御データを、イヤホンジャック１６を介して、アクセサリ装置２０へ出力する（ステップＳ９５）。アクセサリ装置２０の制御部２１は、イヤホンプラグ２２を介して制御データが入力されると、入力された制御データに従って、発光部２４の発光を停止させる（ステップＳ９６）。この変形例の表示システムによれば、表示コンテンツと連動してアクセサリ装置２０の外観が変化するため、ユーザに対して視覚的な面白みを与えることができる。
【００８９】
この変形例では、表示コンテンツの表示形態の変化に連動して、アクセサリ装置２０の発光の有無が変化する連動制御を説明したが、連動制御はこの例に限られない。例えば、アクセサリ装置２０がキャラクタを模した外観で且つ可動部を有する場合、制御部１１は、このキャラクタを意味する表示コンテンツの動作と連動して、アクセサリ装置２０の可動部を動作させるための制御データを送信してもよい。
【００９０】
（変形例２）
端末装置１０のイヤホンジャック１６にアクセサリ装置２０のイヤホンプラグ２２が接続されるときの、挿し込みの速度（換言すると、接続の速度）に応じて、コンテンツの表示を異ならせてもよい。既に説明したが、汎用のイヤホンジャック及びイヤホンプラグは、例えば、右音声、左音声、マイク及び接地の４極で構成され、且つ、各極の端子が挿し込み方向に沿って配列する。そこで、端末装置１０の制御部１１は、イヤホンジャック１６及びイヤホンプラグ２２の同じ極の端子同士が電気的に接続されたタイミング（例えば時刻）を計測することにより、挿し込み速度を特定する。挿し込み速度が大きいほど、各極の電気的接続のタイミングが近く、反対に、挿し込み速度が小さいほど、各極の電気的接続のタイミングが遠くなるはずである。挿し込み速度に応じたコンテンツの表示は特に問わないが、制御部１１は、例えば、挿し込み速度が大きいほど、高速で移動するキャラクタのコンテンツを表示する。
なお、挿し込み速度の特定方法はこの例に限られず、例えば、アクセサリ装置２０に加速度センサを設け、接続時に検知された加速度に基づいて、挿し込み速度が特定されてもよい。
【００９１】
（変形例３）
上述した第１実施形態においては、端末装置１０にアクセサリ装置２０が１つずつ接続される場合を説明したが、複数のアクセサリ装置２０の接続方法は、この例に限られない。例えば、端末装置１０が２以上のイヤホンジャックを備える場合には、同時に２以上のアクセサリ装置２０が接続されてもよい。
また、アクセサリ装置２０が、イヤホンプラグ２２及びイヤホンジャックを備えてもよい。この場合、図３１に示すような、アクセサリ装置２０の積層配置を実現可能である。この例では、端末装置１０のイヤホンジャック１６にアクセサリ装置２０ｆのイヤホンプラグ２２が接続され、アクセサリ装置２０ｆの上面に設けられたイヤホンジャック（図示略）に、アクセサリ装置２０ｇのイヤホンプラグ２２が接続される。アクセサリ装置２０ｆ，２０ｇの各々がイヤホンジャック１６と電気的に接続されていることにより、端末装置１０は、アクセサリ装置２０ｆ，２０ｇが同時に接続されたことを検知可能である。
【００９２】
更に、端末装置１０の制御部１１は、機器識別子ＭＩＤの入力順を特定することにより、複数のアクセサリ装置２０の積層順を特定することも可能である。この場合、制御部１１は、同時に接続された２以上のアクセサリ装置の位置関係に応じて、表示コンテンツを表示してもよい。制御部１１は、図３１に示すように、下から順にアクセサリ装置２０ｆ，２０ｇが配置されていることを検知すると、表示部１２１において、アクセサリ装置２０ｆに対応する表示コンテンツＩＭｆを表示領域に下半分の領域に表示させ、アクセサリ装置２０ｇに対応する表示コンテンツＩＭｇを表示領域に上半分の領域に表示させる。複数のアクセサリ装置２０が接続されたときの表示コンテンツの表示は、この例に限られない。制御部１１は、例えば、アクセサリ装置２０ｆで特定される色と、アクセサリ装置２０ｇで特定される色との混色を、表示部１２１の表示領域の全体に表示させてもよい。
なお、アクセサリ装置２０が３つ以上同時に接続されてもよい。３つ以上のアクセサリ装置２０が同時に接続される場合の構成及び動作は、以上の説明から容易に類推できるので、説明を省略する。
【００９３】
（変形例４）
アクセサリ装置２０は、１台の端末装置１０のみでの表示コンテンツの表示に使用されるのではなく、２台以上の端末装置１０での表示コンテンツの表示に使用されてもよい。この場合、アクセサリ装置２０又は管理サーバ４０において使用回数を計数しておき、使用回数に応じた制御が行われるとよい。
【００９４】
（変形例５）
上述した実施形態で説明した構成又は動作の一部が省略されてもよい。
例えば、上述した第１実施形態で説明した＜Ａ：基本動作＞、＜Ｂ：有効期限に関する表示制御＞、＜Ｃ：アクセサリ装置２０の取り外しの方法に応じた表示制御＞、＜Ｄ：アクセサリ装置２０の接続履歴に応じた表示制御＞、＜Ｅ：アクセサリ装置２０の接続タイミングに応じた表示制御＞、及び、＜Ｆ：複数のアクセサリ装置２０が接続される場合の表示制御＞のうちの１つ以上の構成（例えば、機能及び扱うべきデータ）及び動作が省略されてもよい。例えば、ホームアプリケーション１５１に基づく端末装置１０の認証や、表示コンテンツの有効期限に係る構成や動作が省略されてもよい。
【００９５】
（変形例６）
アクセサリ装置２０の属性は、コンテンツ種別又はグループＩＤに限られない。アクセサリ装置２０の属性は、例えば、基本コンテンツ、又は、当該基本コンテンツに付加して表示される拡張コンテンツのいずれかを示してもよい。また、アクセサリ装置２０の属性は、販売価格に応じた属性であってもよいし、限定商品であるか否かを示してもよい。
【００９６】
（変形例７）
端末装置１０は、表示コンテンツの表示とともに、アクセサリ装置２０が接続された場合に、機器識別子ＭＩＤに関連付けられた特定の機能を有効に（アクティベーション）してもよい。端末装置１０は、例えば、共通の機器識別子ＭＩＤで特定される表示コンテンツを表示する装置間で、所定のＳＮＳ（Social Networking Service）での交流を許可する制御を行ってもよい。
端末装置１０は、スマートフォン又はタブレット端末に限られず、フィーチャーフォンや、ノート型パソコン、携帯型ゲーム機、ウェアラブルコンピュータ等の画像を表示する表示装置であってもよい。
【００９７】
（変形例８）
本発明の接続端子は、イヤホンジャック以外のデータの入出力に用いられる接続端子であってもよい。本発明の接続端子は、表示コンテンツを特定する識別子を記憶した外部記憶媒体が着脱可能に接続される接続端子であればよく、例えば、種々のコネクタを適用可能である。また、本発明の接続端子は、少なくとも、端末装置へデータを入力する機能を有していればよい。また、本発明の接続端子が設けられる位置は、端末装置の上端面以外であってもよい。
また、本発明の外部記憶媒体は、内蔵電池を電源とするものに限らず、外部機器（例えば、接続相手の端末装置）からの電力供給を受けて動作してもよい。
【００９８】
（変形例９）
上述した各実施形態の情報処理システムの各装置の制御部１１，２１，３１，４１が実現する機能は、複数のプログラムの組み合わせによって実現され、又は、複数のハードウェア資源の連係によって実現されうる。制御部１１，２１，３１，４１の機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリ等のコンピュータ読み取り可能な記録媒体に記憶した状態で提供されてもよいし、ネットワークを介して配信されてもよい。また、本発明は、クラウドコンピューティングを用いて実現されてもよい。また、本発明は、表示コンテンツの表示方法として把握することも可能である。
【符号の説明】
【００９９】
１，１Ａ…表示システム、１０，１０−１，１０−２…端末装置、１１，２１，３１，４１…制御部、１１１…コンテンツ取得部、１１２…判定部、１１２Ａ…認証部、１１３…表示制御部、１１４…期限管理部、１１４Ａ…報知処理部、１１５…状態特定部、１１６…履歴管理部、１２…タッチスクリーン部、１２１…表示部、１２２…タッチセンサ、１３…通信部、１４…音声入出力部、１５，２３，３３，４３…記憶部、１５１…ホームアプリケーション、１５２…表示アプリケーション、１６…イヤホンジャック、１７…センサ部、２０，２０ａ〜２０ｇ…アクセサリ装置、２１１…出力処理部、２１２…フラグ管理部、２２…イヤホンプラグ、２４…発光部、３０，３０−１，３０−２…ＣＰサーバ、３３１…表示コンテンツＤＢ、４０…管理サーバ、４３１…使用管理ＤＢ、１００…ネットワーク。
【図１】
2015231109.tif 000003
【図２】
2015231109.tif 000004
【図３】
2015231109.tif 000005
【図４】
2015231109.tif 000006
【図５】
2015231109.tif 000007
【図６】
2015231109.tif 000008
【図７】
2015231109.tif 000009
【図８】
2015231109.tif 000010
【図９】
2015231109.tif 000011
【図１０】
2015231109.tif 000012
【図１１】
2015231109.tif 000013
【図１２】
2015231109.tif 000014
【図１３】
2015231109.tif 000015
【図１４】
2015231109.tif 000016
【図１５】
2015231109.tif 000017
【図１６】
2015231109.tif 000018
【図１７】
2015231109.tif 000019
【図１８】
2015231109.tif 000020
【図１９】
2015231109.tif 000021
【図２０】
2015231109.tif 000022
【図２１】
2015231109.tif 000023
【図２２】
2015231109.tif 000024
【図２３】
2015231109.tif 000025
【図２４】
2015231109.tif 000026
【図２５】
2015231109.tif 000027
【図２６】
2015231109.tif 000028
【図２７】
2015231109.tif 000029
【図２８】
2015231109.tif 000030
【図２９】
2015231109.tif 000031
【図３０】
2015231109.tif 000032
【図３１】
2015231109.tif 000033